(57)【要約】【課題】  現在一般に使用されている家庭用のエアコン用室外機は多くが空冷方式でファンの力で外気を熱交換器にあてて冷却を行うものである。  この排気はかなり高温で屋外の温度を上げ、街中の高温化が進む原因となり近隣に迷惑を及ぼしている。  また、熱交換器での冷媒の冷却が不充分のために、室内機の性能が低下し、電力消費を増加させているので効率的な水冷方式のエアコン室外機が望まれている。【解決手段】  本発明の上記課題を解決するための手段は、エアコン室外機の上部に貯水ケースを設置して、該貯水ケースの底部に滴下口を設け、該滴下口への流路を空冷ファンの回転、停止に連動して開閉するごとくなし、また滴下する水をエアコン室外機のラジェータに的確に接触させる為の散水口を設けたエアコン室外機の水冷アダプターユニットを提供することである。 【選択図】図１
2013217569.tif 000002
【特許請求の範囲】
【請求項１】
エアコン室外機の上部に貯水ケースを設置して、該貯水ケースの上部にドレーン（室内空気の冷却によって発生した水）の注入口を設け、底部に滴下口を設け、該滴下口の流路に空冷ファンの回転、停止に連動して開閉するバルブを設け、該バルブの流出口を複数の散水口に分岐し、該散水口の先端に散水チューブを取付けて、該散水チューブをエアコン室外機のコンデンサー部に接触させたごとく構成したことを特徴とするエアコン室外機用水冷アダプターユニット。
【請求項２】
エアコン室外機の冷却ファン排気部に回動自在に設けられた受風板と該受風板の回動に連動して回動するレバーとマグネットを取付けたバルブを設け、該レバーの回動で磁性体とマグネットが接近するごとき位置に配置したことを特徴とする請求項１記載のエアコン室外機用水冷アダプターユニット。
【請求項３】
マグネットを取付けたバルブの上部に電磁石を設け、該電磁石のコイルをエアコン室外機の冷却ファンを駆動する電気回路に接続したことを特徴とする請求項１記載のエアコン室外機用水冷アダプターユニット。
【発明の詳細な説明】
【技術分野】
【０００１】
本発明は、既存のエアコン室外機を水冷化することによってその排気温度を下げ、電力消費を少なくする為のアダプターユニットに関するものである。
【背景技術】
【０００２】
現在一般に使用されている家庭用のエアコン用室外機は多くが空冷方式でファンの力で外気を熱交換器にあてて冷却を行うものである。  この排気はかなり高温で屋外の温度を上げ、街中の高温化が進む原因となり近隣に迷惑を及ぼしている。  また、室外機のファンは常に大量の空気を動かす為に廻りつづける一方、熱交換器での冷媒の冷却が不充分のために、室内機の性能が低下し、電力消費を増加させている。  
【０００３】
近年、地球温暖化の問題が顕在化し、また電力消費量を少なくする要望も高まっている。  エアコン室外機の冷却方法を水冷式にすれば排気温度の低下と電力消費の効果が大きいことは周知のことであるが、実際には不要なときに水冷用の水を停止する方法がないなどの課題が未解決で、無駄に大量の水を消費するものであってはならない為などで現在では普及していない。
【０００４】
また、既に設置済の空調室外機を水冷式のものに交換するというのは費用も掛かり資材を無駄にするものでもあり、環境対策としては望ましくない。
【０００５】
この改善策として、これまで提案されてきた第１の方式としては除湿水（ドレーン）によってエアコン室外機の熱交換器（コンデンサー）を冷却するものや、他の方法として室外機の上部に雨水や水道水を貯めて徐々に滴下することによって熱交換器（コンデンサー）を冷却する方式が提案されているが、不必要なときに滴下される水を停止する方法について述べられていないために、無駄に大量の水を消費する可能性を持つものであるのと、既成のエアコンへの追加設置が出来ない等の不都合を有するものである。  また、本出願人による実用新案としてドレーンの水量によって滴下バルブを開閉する方式があるが、動作の遅れが大きく調整が微妙であるなどの課題がある。
【先行技術文献】
【特許文献】
【０００６】
【特許文献１】実開平６−２０１３号公報
【特許文献２】特開平９−１９６４１５号公報
【特許文献３】実登３１６９９４５号
【発明の概要】
【発明が解決しようとする課題】
【０００７】
本発明が解決しようとする課題は、既成の室外機への設置が容易で、しかも冷却水の滴下が確実で、不要な冷却水の滴下を自動的に動作遅れなしに停止する機能を有するエアコン室外機の水冷アダプターユニットを提供することである。
【課題を解決するための手段】
【０００８】
本発明の上記課題を解決するための手段は、エアコン室外機の上部に貯水ケースを設置して、該貯水ケースの底部に滴下口を設け、該滴下口への流路を空冷ファンの回転、停止に連動して開閉するごとくなし、また滴下する水をエアコン室外機の熱交換器（コンデンサー）に的確に接触させる為の散水口を設けたエアコン室外機の水冷アダプターユニットを提供することである。
【発明の効果】
【０００９】
本発明の効果は、従来から使用されているエアコンの室外機に容易に取付けることが出来るエアコン室外機の水冷アダプターユニットであり、室内空気を冷却することで発生する除湿水（ドレーン）と水槽内の水とを利用してファンの冷却効果を高めることが出来るとともに冷却水の飛散を防止し、屋外温度の上昇を防ぎ、不要なときに冷却水を素早く停止して無駄な水を消費する事がないので、これまでのエアコン室外機の水冷化の課題を解決できることで、エアコンによって消費する電力を節約できるという大きな利点がある。
【図面の簡単な説明】
【００１０】
【図１】図１は本発明の１実施形態を示した側面図である。
【図２】図２は本発明の１実施形態を示した正面図である。
【図３】図３は本発明の１実施形態を示した部分側面図である。
【図４】図４は本発明の１実施形態を示した部分裏面図である。
【図５】図５は本発明の他の実施形態を示した部分側面図である。
【発明を実施するための形態】
【００１１】
本発明のエアコン室外機用アダプターユニットをその機能を損なわない範囲で簡略化して実現するための実施形態を示す。
【実施例】
【００１２】
図１は本発明のエアコン室外機用アダプターユニットの１実施形態を示した側面図であり、図２は本発明の１実施形態を示した正面図であり、図３は本発明の１実施形態の開閉バルブ部を示した部分側面図、図４は本発明の１実施形態を示した部分裏面図である。
図１、２、３、４においてエアコン室外機本体１の上面に貯水ケース２が配置され、該貯水ケース上部には室内空気を冷却した時に発生するドレーン水を注入する注入口３が設けられている。  また、貯水ケース２の下面には滴下口４が設けられ、該滴下口４は開閉バルブ部Ａの流入口５にゴムホースなどで接続されている。  開閉バルブ部Ａは密閉されたケース６の内部に開口部７を有し該開口部７に嵌めあわされたバルブ８と該バルブ８の上部にマグネット９が設けられ、下部には開閉バルブ部Ａの流出口１０が設けられている。  開閉バルブ部Ａの上部には支軸１１によって回動自在に支持されたレバー１２が設けられ、該レバー１２の一端には磁気材料で形成された吸着板１３が設けられ、他端に取付けられた牽引索１４は室外機の冷却ファンの排気口部分に配置され、該排気の風圧でなびいて回動するごとく設置された受風板１５に接続されている。  １６は受風板の支軸であり、１７は受風板が外部の風で作動しないための遮風板である。  開閉バルブ部Ａの流出口１０は散水部の流入口１８に接続され、該散水部は複数の散水口１９に分岐されて可撓性の複数の散水チューブ２０を介してエアコン室外機のコンデンサー部２１に接触し滴下される水をコンデンサー部２１のフィンに供給する。  
尚、レバー１２はその自重で常に図３における半時計回りに回転するごとく付勢されている。
【００１３】
図５は本発明のエアコン室外機用アダプターユニットの、他の実施例の開閉バルブ部を示す部分側面図である。
図５において開閉バルブ部Ｂの上部には電磁石２２が設けられ、該電磁石２２のコイル２３にファンを駆動する電気配線を接続する。  コイル２３に通電されるとマグネット９はその磁力によって吸引されて上方に移動し、バルブ８は開の状態となる。
［動作］
【００１４】
上記実施形態に示す本発明のエアコン室外機用アダプターユニットの動作について説明する。  エアコン装置を冷房状態にして運転すると、室内の空気を冷却するために温度の高くなった熱媒体を冷却する為に室外機のファンが回転する。  この状態で受風板１６がそのファンの風になびいて牽引索１４が緩むためにレバー１２はその自重で常に図３における半時計回りに回転し、吸着板１３が降下するためにマグネット９と接近してこれを吸引しバルブ８を開の状態とする。  その結果、貯水ケースの水は散水部の散水チューブ２０を介してコンデンサー部２１のフィンに供給される。コンデンサー部２１は熱媒体の熱を吸収してかなりの高温になっているので散水チューブからの水を加熱し、その水は冷却ファンによって生じた空気流によって蒸発してその気化熱でコンデンサー部の効率を向上させる。  因みに毎秒０.２ｃｃを散水した場合吸収する熱量は４５０Ｗとなる。  これは通常の家庭用エアコンの電気使用量の１０％に相当し、この状態での水の消費量は１時間あたり７２０ｃｃである。夏の最も暑い時間帯５時間使用したとして貯水ケースの必要な容量は３．６リッターとなる。更に湿度の高い状態で使用する場合には室内を冷却したことによって生じるドレーン水が毎秒０．０５乃至０.１ｃｃ程度供給されるので、貯水ケースの必要な容量は３リッター程度で充分である。  この散水によって吸収される熱量がエアコンの熱媒体の冷却に寄与し、結果的に電気使用量の削減に繋がることになる。  散水量をやや増加させることによって１５％程度の電力削減も可能とされる。
【００１５】
図５に示す実施例はエアコンの室外機の配線を少し変更する必要があるが、バルブの動作の為の機構は簡単となり、用途に依っては実施の可能性は充分有るといえる。
【産業上の利用可能性】
【００１６】
本発明のエアコン室外機用アダプターユニットは上記の説明で明らかなごとく、貯水ケースに入れた水の散水によってエアコンの使用電力を１０から１５％程度削減することができるだけでなく、室外機から排出される排気の温度を下げ、屋外の気温の上昇を低減することが出来、更にドレーン水の流出による屋外の汚れを防止することができるなどその実生活の環境改善に寄与する効果は極めて著しい。
【符号の説明】
【００１７】
１      エアコン室外機本体
２      貯水ケース
３      ドレーン注入口
４      滴下口
５      開閉バルブ部の流入口
６      ケース
７      開口部
８      バルブ
９      マグネット
１０    バルブ部の流出口
１１    支軸
１２    レバー
１３    吸着板
１４    牽引索
１５    受風板
１６    受風板の支軸
１７    遮風板
１８    散水部の流入口
１９    散水口
２０    散水チューブ
２１    コンデンサー部
２２    電磁石
２３    コイル
【図１】
2013217569.tif 000003
【図２】
2013217569.tif 000004
【図３】
2013217569.tif 000005
【図４】
2013217569.tif 000006
【図５】
2013217569.tif 000007